(57)【要約】      （修正有）【課題】容易にふとんにふとんカバーを取り付けることができるようにすること、および、取り外せるようにする。【解決手段】ふとんの上側に配置するための上側地とふとんの下に配置するための下側地と上側地を下側地と係合するための上側地側ファスナーテープと下側地を上側地と係合するための下側地側ファスナーテープから構成される。上面地を寝具の上に配置して、下面地を寝具の下に配置して、上側地に止着された上側地側ファスナーテープと下側地に止着された下面地側ファスナーテープを接触させて係着して上側地と下面地を係合すれば、寝具を内包する寝具カバーを形成することができる。上側地側ファスナーテープと下側地に止着された下面地側ファスナーテープは接触させると係着する。【選択図】図１
2012090768.tif 000002
【特許請求の範囲】
【請求項１】
寝具に装着するための寝具カバーであって、
寝具の上部に配置するための上側地と、
寝具の下部に配置するための下側地と、
前記上側地の上側地下面の上側地第一短辺、上側地第二短辺、上側地第一長辺、上側地第二長辺のうちの少なくとも一つの近傍に止着されており、前記上側地を前記下側地と係合するための上側地側ファスナーテープと、
前記下側地の下側地上面の下側地第一短辺、下側地第二短辺、下側地第一長辺、下側地第二長辺のうちの少なくとも一つの近傍に止着されており、前記下側地を前記上側地と係合するための下側地側ファスナーテープと、
を有することを特徴とする寝具カバー。
【請求項２】
前記上側地側ファスナーテープは、フック毛が起毛されたフックファスナーテープ、あるいは、ループ毛が起毛されたループファスナーテープのうちのいずれか一つであり、
前記下側地側ファスナーテープは、前記フックファスナーテープ、あるいは、前記ループファスナーテープのうちのいずれか一つであることを特徴とする請求項１に記載の寝具カバー。
【請求項３】
前記上側地側ファスナーテープは、前記フックファスナーテープ、および、前記ループファスナーテープであり、
前記下側地側ファスナーテープも、前記フックファスナーテープ、および、前記ループファスナーテープであることを特徴とする請求項１に記載の寝具カバー。
【請求項４】
前記ファスナーテープ、および、前記ループファスナーテープは、前記上側地の上側地下面の前記上側地第一短辺、前記上側地第二短辺、前記上側地第一長辺、前記上側地第二長辺のうちの少なくとも一つに沿って交互に止着されており、
前記ファスナーテープ、および、前記ループファスナーテープは、前記下側地の下側地上面の前記下側地第一短辺、前記下側地第二短辺、前記下側地第一長辺、前記下側地第二長辺のうちの少なくとも一つに沿って交互に止着されていることを特徴とする請求項３に記載の寝具カバー。
【請求項５】
前記上側地側ファスナーテープは、フック毛、および、ループ毛が起毛されたフックループファスナーテープあり、
前記下側地側ファスナーテープは、前記フックループファスナーテープあることを特徴とする請求項１に記載に寝具カバー。
【請求項６】
請求項１、ないしは、請求項５に記載の上側地。
【請求項７】
請求項１、ないしは、請求項５に記載の下側地。
【発明の詳細な説明】
【技術分野】
【０００１】
本発明は、寝具に容易に取り付け及び取り外すことができる寝具カバーに関する。
【背景技術】
【０００２】
寝具には寝具カバーが装着されていることが多い。
また、寝具カバーは一定の周期で寝具から取り外して洗濯することはとても衛生のためにも大切なことである。
【０００３】
しかし、寝具カバーを寝具に取り付けたり、寝具カバーをふとんから取り外すのに手間がかかると、寝具カバーを洗濯する回数が減って、衛生にも問題が生じる可能性がある。
【０００４】
背景技術としては、特許文献１、特許文献２、あるいは、特許文献３に示された寝具カバーがある。
【０００５】
特許文献１に示されているふとんカバーをふとんに取り付るためには、袋状に形成されており、袋状に形成されたふとんカバーの一方向、又は、二方向に開口部にふとんを押し込まなければならず、また、特許文献１に示されているふとんカバーをふとんから取り外すためには、袋状に形成されているふとんカバーからふとんを取り出さなければならない。このため、特許文献１に示されているふとんカバーをふとんに取り付けたり、ふとんに取り外すことは面倒である。
【０００６】
特許文献２に示されているふとんカバーをふとんに取り付けるためには、上側地と下側地の一部が結合して袋状になっている部分にふとんを押し込まなければならず、また、特許文献２に示されているふとんカバーをふとんから取り外すためには、上側地と下側地の一部が結合して袋状になっている部分からふとんを取り出さなければならない。このため、特許文献２に示されているふとんカバーをふとんに取り付けたり、ふとんに取り外すことも面倒である。
【０００７】
特許文献３に示されているふとんカバーにふとんを取り付けるためには、袋状に形成されてるふとんカバーにふとんを押し込む必要はなく、また、特許文献３に示されているふとんカバーをふとんから取り外すためには、袋状に形成されてるふとんカバーからふとんを取り出す必要はない。
【０００８】
しかし、特許文献３のふとんカバーをふとんに取り付ける際には、上側地と下側地のファスナー、ひも、あるいは、ボタンで係合しなければならず、また、特許文献３のふとんカバーをふとんから取り外す際には、上側地と下側地のファスナー、ひも、あるいは、ボタンを外して、離脱しなければならない。このため、特許文献３に示されているふとんカバーをふとんに取り付けたり、ふとんに取り外すことも面倒である。
【０００９】
【特許文献１】特許公開２００９−２８５２２６公報
【特許文献２】特許公開２００８−３６３０５公報
【特許文献３】実用新案公開平５−９３３３０公報
【発明の開示】
【発明が解決しようとする課題】
【００１０】
本発明は、容易に寝具カバーを寝具に取り付けることができるようにすること、および、容易に寝具カバーを寝具から取り外せるようにすることを目的とする。
【課題を解決するための手段】
【００１１】
本発明の寝具カバーは、寝具の上側に配置するための上側地と寝具の下に配置するための下側地と上側地を下側地と係合するための上側地側ファスナーテープと下側地を上側地と係合するための下側地側ファスナーテープから構成される。
上側地側ファスナーテープは、上側地の上側地下面の上側地第一短辺、上側地第二短辺、上側地第一長辺、上側地第二長辺のうちの少なくとも一つに止着されている。
下側地側ファスナーテープは、下側地の下側地上面の下側地第一短辺、下側地第二短辺、下側地第一長辺、下側地第二長辺のうちの少なくとも一つの近傍に止着されている。
【００１２】
ファスナーテープは、フック状に植毛されたフックファスナーテープとループ状に起毛されたループファスナーテープがあり、フックファスナーテープとループファスナーテープを接触させたり、押し付けたりすると貼り付くようになっており、貼り付けたり剥がしたりすることができる。
ただし、ファスナーテープには、フック毛とループ毛の両方が起毛されているフックループファスナーテープがある。
また、ファスナーテープには、マッシュルーム状に起毛されていて結合力が強いクリックタイプファスナーテープ、鋸歯状のシャークバイトタイプテープから構成されているシャークバイトタイプファスナーテープもある。
ファスナーテープは、面テープ、ワンタッチテープ、マジックテープ(登録商標)と呼ばれることもある。
本発明の寝具カバーは、上面地を寝具の上に配置して、下面地を寝具の下に配置して、上面地と下面地を係合すれば、寝具を内包する寝具カバーを形成することができる。
上側地と下面地は、上側地に止着された上側地側ファスナーテープと下側地に止着された下面地側ファスナーテープを係着すれば係合することができる。
上側地側ファスナーテープと下側地に止着された下面地側ファスナーテープは接触させれば係着することができる。
【００１３】
本発明の寝具カバーを装着する寝具は、敷きふとんである。
ただし、寝具は、これには限られず、掛けふとん、毛布、まくら等のありとあらゆる寝具が含まれる。
寝具が敷きふとんであれば、上側地が人の体と接する。
寝具カバーを敷きふとんに使用する際には、上側地が体から出た汗などを大量に吸収しているので、衛生のためには、上側地を一定の周期で洗濯する必要がある。
寝具カバーを敷きふとんに使用する際には、下側地も衛生のために洗濯する必要があるが、下側地は人の体と接することは少ないので、人の体と接する上側地よりも洗濯の回数を少なくしても、衛生に与える影響は少ない。
【発明の効果】
【００１４】
本発明の寝具カバーは、上面地を寝具の上に配置して、下面地を寝具の下に配置して、上側地と下面地は、上側地に止着された上側地側ファスナーテープと下側地に止着された下面地側ファスナーテープを係着して係合すれば、寝具を内包する寝具カバーを形成することができる。
上側地側ファスナーテープと下側地に止着された下面地側ファスナーテープは接触させると係着することができる。
本発明の寝具カバーは、上面地と下面地を離脱することができるので、寝具カバーの上側地を下面地と離脱して、上側地のみを洗濯することができる。
本発明の寝具カバーは、下側地を寝具の下に配置した後は、ふとんを持ち上げなくても上側地側ファスナーテープと下側地に止着された下面地側ファスナーテープを係着することによって、上側地と下面地を係合すれば寝具を内包する寝具カバーを形成することができる。
【発明を実施するための最良の形態】
【００１５】
図面に基づいて本発明を実施するための最良の形態を説明する。
【実施例１】
【００１６】
図１、図２(ａ)(ｂ)、図３(ａ)(ｂ)(ｃ)に示すように、上側地１は寝具２の上に配置され、下側地３は寝具２の下に配置される。    
図４(ａ)(ｂ)に示すように、上側地１は、上面に上側地上面１ａを有し、下面に上側地下面１ｂを有する。
図５(ａ)(ｂ)に示すように、上側地１は、周縁に上側地第一短辺１ｃ、上側地第二短辺１ｄ、上側地第一長辺１ｅ、上側地第二長辺１ｆを有する。
図６(ａ)(ｂ)に示すように、寝具２は、上部に寝具上面２ａを有し、下部に寝具下面２ｂを有する。
図７(ａ)に示すように、寝具２は、寝具上面２ａの周縁に寝具上面第一短辺２ｃ、寝具上面第二短辺２ｄ、寝具上面第一長辺２ｅ、寝具上面第二長辺２ｆを有する。
図７(ｂ)に示すように、寝具２は、寝具下面２ｂの周縁に寝具下面第一短辺２ｇ、寝具下面第二短辺２ｈ、寝具下面第一長辺２ｉ、寝具下面第二長辺２ｊを有する。
図８(ａ)(ｂ)に示すように、下側地３は、上面に下側地上面３ａを有し、下面に下側地下面３ｂを有する。
図９(ａ)(ｂ)に示すように、下側地３は、周縁に下側地第一短辺３ｃ、下側地第二短辺３ｄ、下側地第一長辺３ｅ、下側地第二長辺３ｆを有する。
図１、図２(ａ)(ｂ)、図３(ａ)(ｂ)(ｃ)に示すように、上側地を下側地と係合するための上側地側ファスナーテープは、上側地の上側地下面の上側地第一短辺、上側地第二短辺、上側地第一長辺、上側地第二長辺のうちの少なくとも一つの近傍に止着されている。
図１、図２(ａ)(ｂ)、図３(ａ)(ｂ)(ｃ)に示すように、下側地を上側地と係合するための下側地側ファスナーテープは、下側地の下側地上面の下側地第一短辺、下側地第二短辺、下側地第一長辺、下側地第二長辺のうちの少なくとも一つの近傍に止着されている。
【００１７】
上側地１と下側地２は、絹、麻、綿、ナイロン、または、ポリエステル製の布地から形成されている。
【００１８】
寝具２は、敷きふとんである。
ただし、寝具２は、これには限られず、掛けふとん、毛布、まくら等のありとあらゆる寝具が含まれる。
【００１９】
図１、図２(ａ)(ｂ)、図３(ａ)(ｂ)(ｃ)に示すように、上面地１を寝具２の上に配置して、下面地３を寝具２の下に配置すると、上面地１の上側地下面１ｂが寝具２の寝具上面２ａ、および、下面地３の下側地上面３ａと接触し、下面地３の下側地上面３ａが寝具２の寝具下面２ｂ、および、上面地１の上側地下面１ｂに接触する。
図３(ａ)(ｂ)(ｃ)に示すように、上側地１と下側地３は、上側地側ファスナーテープ４と下側地側ファスナーテープ５を係着することによって係合すると上側地１と下側地３は寝具２を内包する寝具を形成する。
【００２０】
上側地１を寝具２の上に配置した際に、上側地側ファスナーテープ４と下側地側ファスナーテープ５を係着するためには、図３(ａ)(ｂ)(ｃ)に示すように、上側地側ファスナーテープ４は上側地１のうち寝具２から延出した部分に止着しなければならない。
上側地側ファスナーテープ４を上側地１のうち寝具２から延出した部分に止着するためには、上側地第一短辺１ｃ、上側地第二短辺１ｄ、上側地第一長辺１ｅ、上側地第二長辺１ｆを、それぞれ寝具２から延出させなければならない。
上側地第一短辺１ｃ、上側地第二短辺１ｄ、上側地第一長辺１ｅ、上側地第二長辺１ｆを、それぞれ寝具２から延出させるためには、図３(ａ)(ｂ)(ｃ)に示すように、上側地１の上側地第一短辺１ｃ、上側地第二短辺１ｄ、上側地第一長辺１ｅ、上側地第二長辺１ｆのそれぞれの長さは、寝具２の寝具上面２ａの寝具上面第一短辺２ｃ、寝具上面第二短辺２ｄ、寝具上面第一長辺２ｅ、寝具上面第二長辺２ｆのそれぞれの長さよりも長くしなければならない。
【００２１】
下側地３を寝具２の下に配置した際に、上側地側ファスナーテープ４と下側地側ファスナーテープ５を係着するためには、図３(ａ)(ｂ)(ｃ)に示すように、下側地側ファスナーテープ５は下側地３のうち寝具２から延出した部分に止着しなければならない。
下側地側ファスナーテープ５を下側地３のうち寝具２から延出した部分に止着するためには、下側地第一短辺３ｃ、下側地第二短辺３ｄ、下側地第一長辺３ｅ、下側地第二長辺３ｆを、それぞれ寝具２から延出させなければならない。
下側地第一短辺３ｃ、下側地第二短辺３ｄ、下側地第一長辺３ｅ、下側地第二長辺３ｆを、それぞれ寝具２から延出させるためには、図３(ａ)(ｂ)(ｃ)に示すように、下側地３の下側地第一短辺３ｃ、下側地第二短辺３ｄ、下側地第一長辺３ｅ、下側地第二長辺３ｆのそれぞれの長さは、寝具２の寝具下面２ｂの寝具下面第一短辺２ｇ、寝具下面第二短辺２ｈ、寝具下面第一長辺２ｉ、寝具下面第二長辺２ｊのそれぞれの長さよりも長くしなければならない。
【００２２】
図４(ａ)(ｂ)、図５(ａ)(ｂ)では、上側地側ファスナーテープ４は、寝具２から延出した部分であって、上側地１の上側地下面１ｂの上側地第一短辺１ｃ、上側地第二短辺１ｄ、上側地第一長辺１ｅ、上側地第二長辺１ｆのうちのすべての近傍に止着されている。
ただし、上側地側ファスナーテープ４は、上側地１の上側地下面１ｂの上側地第一短辺１ｃ、上側地第二短辺１ｄ、上側地第一長辺１ｅ、上側地第二長辺１ｆのすべての近傍に止着しなくてもよく、上側地１の上側地下面１ｂの上側地第一短辺１ｃ、上側地第二短辺１ｄ、上側地第一長辺１ｅ、上側地第二長辺１ｆのうちの一つ、から、三つの近傍に止着してもよい。
【００２３】
図８(ａ)(ｂ)、図９(ａ)(ｂ)では、下側地側ファスナーテープ５は、寝具２から延出した部分であって、下側地３の下側地上面３ａの下側地第一短辺３ｃ、下側地第二短辺３ｄ、下側地第一長辺３ｅ、下側地第二長辺３ｆのうちのすべての近傍に止着されている。
ただし、下側地側ファスナーテープ５は、下側地上面３ａの下側地第一短辺３ｃ、下側地第二短辺３ｄ、下側地第一長辺３ｅ、下側地第二長辺３ｆのすべての近傍に止着しなくてもよく、下側地３の下側地上面３ａの下側地第一短辺３ｃ、下側地第二短辺３ｄ、下側地第一長辺３ｅ、下側地第二長辺３ｆの一つ、から、三つの近傍に止着してもよい。
【００２４】
上側地側ファスナーテープ４と下側地側ファスナーテープ５は、上面地１、あるいは、下面地３に糸やピアノ線で縫いつけて止着してある。
ただし、上側地側ファスナーテープ４と下側地側ファスナーテープ５は、上面地１、あるいは、下面地３に接着材やのりで貼り付けて止着してもよい。
【００２５】
実施例１では、上側地側ファスナーテープ４は、フックファスナーテープ６とループファスナーテープ８のうちのいずれか１つであり、下側地側ファスナーテープ５も、フックファスナーテープ６とループファスナーテープ８のうちのいずれか１つである。
【００２６】
図１６(ａ)に示すように、フックファスナーテープ６はフック毛７が起毛されており、また、図１６(ｂ)に示すようにループファスナーテープ８はループ毛９が起毛されている。
フックファスナーテープ６とループファスナーテープ８を押し付けるとそれだけで貼り付くようになっており、貼り付けたり剥がしたりすることができる。
また、ファスナーテープには、マッシュルーム状に起毛されていて結合力が強いクリックタイプファスナーテープ、鋸歯状のシャークバイトタイプテープから構成されているシャークバイトタイプファスナーテープも含まれる。
ファスナーテープは、面テープ、ワンタッチテープ、マジックテープ(登録商標)と呼ばれることもある。
【００２７】
図１０(ａ)(ｂ)には、上側地１に止着された上側地側ファスナーテープ４がフックファスナーテープ６である場合が示されており、図１１(ａ)(ｂ)には、下側地３に止着された下側地側ファスナーテープ５がループファスナーテープ８である場合が示されている。
ただし、上側地１に止着された上側地側ファスナーテープ４がループファスナーテープ８であり、下側地３に止着された下側地側ファスナーテープ５が、フックファスナーテープ６である場合もある。
【実施例２】
【００２８】
実施例２では、上側地側ファスナーテープ４は、フックファスナーテープ６、および、ループファスナーテープ８である。
実施例２では、図１２(ａ) (ｂ)に示すように、フックファスナーテープ６、および、ループファスナーテープ８は、上側地１の上側地下面１ｂの上側地第一短辺１ｃ、上側地第二短辺１ｄ、上側地第一長辺１ｅ、上側地第二長辺１ｆに沿って交互に止着されている。
また、図１２(ａ) (ｂ)に示すように、フックファスナーテープ６、および、ループファスナーテープ８が止着されているのは、上側地第一短辺１ｃ、上側地第二短辺１ｄ、上側地第一長辺１ｅ、上側地第二長辺１ｆの近傍である。
【００２９】
実施例２では、下側地側ファスナーテープ５は、フックファスナーテープ６、および、ループファスナーテープ８である。
実施例２では、図１３(ａ) (ｂ)に示すように、フックファスナーテープ６、および、ループファスナーテープ８は、下側地３の下側地上面３ａであり、かつ、下側地第一短辺３ｃ、下側地第二短辺３ｄ、下側地第一長辺３ｅ、下側地第二長辺３ｆに沿って交互に止着されている。
また、図１３(ａ) (ｂ)に示すように、フックファスナーテープ６、および、ループファスナーテープ８が止着されているのは、下側地第一短辺３ｃ、下側地第二短辺３ｄ、下側地第一長辺３ｅ、下側地第二長辺３ｆの近傍である。
【実施例３】
【００３０】
実施例３では、上側地側ファスナーテープ４は、フックループファスナーテープ１０である。
図１６(ｃ)に示されているように、フックループファスナーテープ１０には、フック毛７、および、ループ毛９の両方が起毛されている。
実施例３では、図１４(ａ) (ｂ)に示すように、フックループファスナーテープ１０は、上側地側係合手段４は、上側地１の上側地下面１ｂであり、かつ、上側地第一短辺１ｃ、上側地第二短辺１ｄ、上側地第一長辺１ｅ、上側地第二長辺１ｆに沿って止着されている。
また、図１４(ａ) (ｂ)に示すように、フックループファスナーテープ１０が止着されているのは、上側地第一短辺１ｃ、上側地第二短辺１ｄ、上側地第一長辺１ｅ、上側地第二長辺１ｆの近傍である。
【００３１】
実施例３では、下側地側ファスナーテープ５は、フックループファスナーテープ１０である。
実施例３では、図１５(ａ) (ｂ)に示すように、フックループファスナーテープ１０は、下側地３の下側地上面３ａであり、かつ、下側地第一短辺３ｃ、下側地第二短辺３ｄ、下側地第一長辺３ｅ、下側地第二長辺３ｆに沿って止着されている。
また、図１５(ａ) (ｂ)に示すように、フックループファスナーテープ１０が止着されているのは、下側地第一短辺３ｃ、下側地第二短辺３ｄ、下側地第一長辺３ｅ、下側地第二長辺３ｆの近傍である。
【００３２】
本発明の実施の形態は、実施例１、ないしは、実施例３に限られるものではなく、各構成要件の具体的構成は適宜設計変更することができる。
【図面の簡単な説明】
【００３３】
【図１】寝具カバーと寝具の斜視図である。
【図２】（ａ）は、寝具カバーと寝具を短辺方向から見た側面図である。(ｂ)は、寝具カバーと寝具を長辺方向から見た側面図である。
【図３】(ａ)は、寝具カバーを寝具に装着した状態の斜視図である。(ｂ)は、寝具カバーを寝具に装着した状態を短辺方向から見た側面図である。(ｃ)は、寝具カバーを寝具に装着した状態を長辺方向から見た側面図である。
【図４】(ａ)は、上側図を短辺方向から見た側面図である。(ｂ)は、上側図を長辺方向から見た側面図である。
【図５】(ａ)は、上側図を上側地上面から見た平面図である。(ｂ)は、上側図を上側地下面から見た平面図である。
【図６】(ａ)は、寝具を短辺方向から見た側面図である。(ｂ)は、寝具を長辺方向から見た側面図である。
【図７】(ａ)は、寝具を寝具上面から見た平面図である。(ｂ)は、寝具を寝具下面から見た平面図である。
【図８】(ａ)は、下側図を短辺方向から見た側面図である。(ｂ)は、下側図を長辺方向から見た側面図である。
【図９】(ａ)は、下側図を上側地上面から見た平面図である。(ｂ)は、下側図を上側地下面から見た平面図である。
【図１０】(ａ)は、上側図の上側地下面にフックファスナーテープが止着されている際の上側図を上側地上面から見た平面図である。(ｂ)は、上側図の上側地下面にフックファスナーテープが止着されている際の上側図を上側地下面から見た平面図である。
【図１１】(ａ)は、下側図の下側地上面にループファスナーテープが止着されている際の下側地を下側地下面から見た平面図である。(ｂ)は、下側図の下側地上面にループファスナーテープが止着されている際の上側図を上側地下面から見た平面図である。
【図１２】(ａ)は、上側図の上側地下面にフックファスナーテープとループファスナーテープが止着されている際の上側図を上側地上面から見た平面図である。(ｂ)は、上側図の上側地下面にフックファスナーテープとループファスナーテープが止着されている際の上側図を上側地下面から見た平面図である。
【図１３】(ａ)は、下側図の下側地上面にフックファスナーテープとループファスナーテープが止着されている際の下側地を下側地下面から見た平面図である。(ｂ)は、下側図の下側地上面にフックファスナーテープとループファスナーテープが止着されている際の上側図を上側地下面から見た平面図である。
【図１４】(ａ)は、上側図の上側地下面にフックループファスナーテープが止着されている際の上側図を上側地上面から見た平面図である。(ｂ)は、上側図の上側地下面にフックループファスナーテープが止着されている際の上側図を上側地下面から見た平面図である。
【図１５】(ａ)は、下側図の下側地上面にフックループファスナーテープが止着されている際の下側地を下側地下面から見た平面図である。(ｂ)は、下側図の下側地上面にフックループファスナーテープが止着されている際の上側図を上側地下面から見た平面図である。
【図１６】(ａ)は、フックファスナーテープの拡大斜視図である。(ｂ)は、ループファスナーテープの拡大斜視図である。(ｃ)は、フックループファスナーテープの拡大斜視図である。
【符号の説明】
【００３４】
１    上側地
１ａ  上側地上面
１ｂ  上側地下面
１ｃ  上側地第一短辺
１ｄ  上側地第二短辺
１ｅ  上側地第一長辺
１ｆ  上側地第二長辺
２    寝具
２ａ  寝具上面
２ｂ  寝具下面
２ｃ  寝具第一短辺
２ｄ  寝具第二短辺
２ｅ  寝具第一長辺
２ｆ  寝具第二長辺
３    下側地
３ａ  下側地上面
３ｂ  下側地下面
３ｃ  下側地第一短辺
３ｄ  下側地第二短辺
３ｅ  下側地第一長辺
３ｆ  下側地第二長辺
４    上側地側係合手段
５    下側地側係合手段
６    フックファスナーテープ
７    フック毛
８    ループファスナーテープ
９    ループ毛
１０  フックループファスナーテープ
【図１】
2012090768.tif 000003
【図２】
2012090768.tif 000004
【図３】
2012090768.tif 000005
【図４】
2012090768.tif 000006
【図５】
2012090768.tif 000007
【図６】
2012090768.tif 000008
【図７】
2012090768.tif 000009
【図８】
2012090768.tif 000010
【図９】
2012090768.tif 000011
【図１０】
2012090768.tif 000012
【図１１】
2012090768.tif 000013
【図１２】
2012090768.tif 000014
【図１３】
2012090768.tif 000015
【図１４】
2012090768.tif 000016
【図１５】
2012090768.tif 000017
【図１６】
2012090768.tif 000018
【手続補正書】
【提出日】平成22年10月28日(2010.10.28)
【手続補正１】
【補正対象書類名】明細書
【補正対象項目名】００３０
【補正方法】変更
【補正の内容】
【００３０】
実施例３では、上側地側ファスナーテープ４は、フックループファスナーテープ１０である。
図１６(ｃ)に示されているように、フックループファスナーテープ１０には、フック毛７、および、ループ毛９の両方が起毛されている。
実施例３では、図１４(ａ) (ｂ)に示すように、フックループファスナーテープ１０は、上側地１の上側地下面１ｂであり、かつ、上側地第一短辺１ｃ、上側地第二短辺１ｄ、上側地第一長辺１ｅ、上側地第二長辺１ｆに沿って止着されている。
また、図１４(ａ) (ｂ)に示すように、フックループファスナーテープ１０が止着されているのは、上側地第一短辺１ｃ、上側地第二短辺１ｄ、上側地第一長辺１ｅ、上側地第二長辺１ｆの近傍である。
【手続補正書】
【提出日】平成22年11月1日(2010.11.1)
【手続補正１】
【補正対象書類名】明細書
【補正対象項目名】００１６
【補正方法】変更
【補正の内容】
【００１６】
図１、図２(ａ)(ｂ)、図３(ａ)(ｂ)(ｃ)に示すように、上側地１は寝具２の上に配置され、下側地３は寝具２の下に配置される。    
図４(ａ)(ｂ)に示すように、上側地１は、上面に上側地上面１ａを有し、下面に上側地下面１ｂを有する。
図５(ａ)(ｂ)に示すように、上側地１は、周縁に上側地第一短辺１ｃ、上側地第二短辺１ｄ、上側地第一長辺１ｅ、上側地第二長辺１ｆを有する。
図６(ａ)(ｂ)に示すように、寝具２は、上部に寝具上面２ａを有し、下部に寝具下面２ｂを有する。
図７(ａ)に示すように、寝具２は、寝具上面２ａの周縁に寝具上面第一短辺２ｃ、寝具上面第二短辺２ｄ、寝具上面第一長辺２ｅ、寝具上面第二長辺２ｆを有する。
図７(ｂ)に示すように、寝具２は、寝具下面２ｂの周縁に寝具下面第一短辺２ｇ、寝具下面第二短辺２ｈ、寝具下面第一長辺２ｉ、寝具下面第二長辺２ｊを有する。
図８(ａ)(ｂ)に示すように、下側地３は、上面に下側地上面３ａを有し、下面に下側地下面３ｂを有する。
図９(ａ)(ｂ)に示すように、下側地３は、周縁に下側地第一短辺３ｃ、下側地第二短辺３ｄ、下側地第一長辺３ｅ、下側地第二長辺３ｆを有する。
図１、図２(ａ)(ｂ)、図３(ａ)(ｂ)(ｃ)に示すように、上側地１を下側地３と係合するための上側地側ファスナーテープ４は、上側地１の上側地下面１ｂの上側地第一短辺１ｃ、上側地第二短辺１ｄ、上側地第一長辺１ｅ、上側地第二長辺１ｆのうちの少なくとも一つの近傍に止着されている。
図１、図２(ａ)(ｂ)、図３(ａ)(ｂ)(ｃ)に示すように、下側地３を上側地１と係合するための下側地側ファスナーテープ５は、下側地３の下側地上面３ａの下側地第一短辺３ｃ、下側地第二短辺３ｄ、下側地第一長辺３ｅ、下側地第二長辺３ｆのうちの少なくとも一つの近傍に止着されている。
【手続補正２】
【補正対象書類名】明細書
【補正対象項目名】００３４
【補正方法】変更
【補正の内容】
【００３４】
１    上側地
１ａ  上側地上面
１ｂ  上側地下面
１ｃ  上側地第一短辺
１ｄ  上側地第二短辺
１ｅ  上側地第一長辺
１ｆ  上側地第二長辺
２    寝具
２ａ  寝具上面
２ｂ  寝具下面
２ｃ  寝具第一短辺
２ｄ  寝具第二短辺
２ｅ  寝具第一長辺
２ｆ  寝具第二長辺
３    下側地
３ａ  下側地上面
３ｂ  下側地下面
３ｃ  下側地第一短辺
３ｄ  下側地第二短辺
３ｅ  下側地第一長辺
３ｆ  下側地第二長辺
４    上側地側ファスナーテープ
５    下側地側ファスナーテープ
６    フックファスナーテープ
７    フック毛
８    ループファスナーテープ
９    ループ毛
１０  フックループファスナーテープ
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
寝具に装着するための寝具カバーであって、  上側地と下側地と上側地側ファスナーテープと下側地側ファスナーテープを有し、  前記上側地は、上面に上側地上面を有し、下面に上側地下面を有し、周縁に上側地第一短辺、上側地第二短辺、上側地第一長辺、上側地第二長辺を有し、  前記下側地は、上面に下側地上面を有し、下面に下側地下面を有し、周縁に下側地第一短辺、下側地第二短辺、下側地第一長辺、下側地第二長辺を有し、  前記上側地側ファスナーテープは、前記上側地下面の前記上側地第一短辺、前記上側地第二短辺、前記上側地第一長辺、前記上側地第二長辺のうちの一つ、ないしは、四つの近傍に止着されており、  前記下側地側ファスナーテープは、前記下側地上面の前記下側地第一短辺、前記下側地第二短辺、前記下側地第一長辺、前記下側地第二長辺のうちの一つ、ないしは、四つの近傍に止着されており、  前記上側地と前記下側地は、前記上側地側ファスナーテープと前記下側地側ファスナーテープが係着することによって係合することを特徴とする寝具カバー。
【請求項２】
前記上側地側ファスナーテープは、フックファスナーテープ、あるいは、ループファスナーテープのうちの１つであり、  前記下側地側ファスナーテープは、前記フックファスナーテープ、あるいは、前記ループファスナーテープのうちの１つであり、  前記上側地側ファスナーテープが、前記フックファスナーテープである際には、前記下側地側ファスナーテープは、前記ループファスナーテープであり、  前記上側地側ファスナーテープが、前記ループファスナーテープである際には、前記下側地側ファスナーテープは、前記フックファスナーテープであることを特徴とする請求項１に記載の寝具カバー。
【請求項３】
前記上側地側ファスナーテープは、前記フックファスナーテープと前記ループファスナーテープであり、  前記上側地側ファスナーテープは、前記フックファスナーテープと前記ループテープであることを特徴とする請求項１に記載の寝具カバー。
【請求項４】
前記フックファスナーテープと前記ループファスナーテープは、前記上側地第一短辺の近傍に止着されている際には、前記上側地第一短辺に沿って交互に止着されており、前記上側地第二短辺の近傍に止着されている際には、前記上側地第二短辺に沿って交互に止着されており、前記上側地第一長辺の近傍に止着されている際には、前記上側地第一長辺に沿って交互に止着されており、前記上側地第二長辺の近傍に止着されている際には、前記上側地第二長辺に沿って交互に止着されており、  前記フックファスナーテープと前記ループファスナーテープは、前記下側地第一短辺の近傍に止着されている際には、前記下側地第一短辺に沿って交互に止着されており、前記下側地第二短辺の近傍に止着されている際には、前記下側地第二短辺に沿って交互に止着されており、前記下側地第一長辺の近傍に止着されている際には、前記下側地第一長辺に沿って交互に止着されており、前記下側地第二長辺の近傍に止着されている際には、前記下側地第二長辺に沿って交互に止着されていることを特徴とする請求項３に記載の寝具カバー。
【請求項５】
前記上側地側ファスナーテープは、フックループファスナーテープであり、  前記下側地側ファスナーテープは、フックループファスナーテープであることを特徴とする請求項１に記載に寝具カバー。
【請求項６】
寝具に装着するための寝具カバーであって、  寝具の上部に配置するための前記上側地と、  寝具の下部に配置するための前記下側地と、  前記上側地の前記上側地下面の前記上側地第一短辺、前記上側地第二短辺、前記上側地第一長辺、前記上側地第二長辺のうちの少なくとも一つの近傍に止着されており、前記上側地を前記下側地と係合するための前記上側地側ファスナーテープと、  前記下側地の前記下側地上面の前記下側地第一短辺、前記下側地第二短辺、前記下側地第一長辺、前記下側地第二長辺のうちの少なくとも一つの近傍に止着されており、前記下側地を前記上側地と係合するための前記下側地側ファスナーテープと、を有することを特徴とする寝具カバー。
【請求項７】
前記上側地第一短辺、前記上側地第二短辺、前記上側地第一長辺、前記上側地第二長辺のうちの一つ、ないしは、四つの近傍に、請求項１、ないしは、請求項５のうちの１つに記載の前記上側地側ファスナーテープが止着されている前記上側地、あるいは、  前記下側地第一短辺、前記下側地第二短辺、前記下側地第一長辺、前記下側地第二長辺のうちの一つ、ないしは、四つの近傍に、請求項１、ないしは、請求項５のうちの１つに記載の前記下側地側ファスナーテープが止着されている前記下側地のうちの１つ。
【請求項８】
前記上側地下面の前記上側地第一短辺、前記上側地第二短辺、前記上側地第一長辺、前記上側地第二長辺のうちの一つ、ないしは、四つの近傍に、前記フックファスナーテープ、あるいは、前記ループファスナーテープのうちの１つが止着されている前記上側地、あるいは、  前記下側地上面の前記下側地第一短辺、前記下側地第二短辺、前記下側地第一長辺、前記下側地第二長辺のうちの一つ、ないしは、四つの近傍に、前記フックファスナーテープ、あるいは、前記ループファスナーテープのうちの１つが止着されている前記下側地のうちの１つ。
【請求項９】
前記上側地下面の前記上側地第一短辺、前記上側地第二短辺、前記上側地第一長辺、前記上側地第二長辺のうちの一つ、ないしは、四つの近傍に、前記フックファスナーテープと前記ループファスナーテープが止着されている前記上側地、あるいは、  前記下側地上面の前記下側地第一短辺、前記下側地第二短辺、前記下側地第一長辺、前記下側地第二長辺のうちの一つ、ないしは、四つの近傍に、前記フックファスナーテープと前記ループファスナーテープが止着されている前記下側地のうちの１つ。
【請求項１０】
前記フックファスナーテープと前記ループファスナーテープは、前記上側地第一短辺の近傍に止着されている際には、前記上側地第一短辺に沿って交互に止着されており、前記上側地第二短辺の近傍に止着されている際には、前記上側地第二短辺に沿って交互に止着されており、前記上側地第一長辺の近傍に止着されている際には、前記上側地第一長辺に沿って交互に止着されており、前記上側地第二長辺の近傍に止着されている際には、前記上側地第二長辺に沿って交互に止着されていることを特徴とする請求項９に記載の前記上側地、あるいは、  前記フックファスナーテープと前記ループファスナーテープは、前記下側地第一短辺の近傍に止着されている際には、前記下側地第一短辺に沿って交互に止着されており、前記下側地第二短辺の近傍に止着されている際には、前記下側地第二短辺に沿って交互に止着されており、前記下側地第一長辺の近傍に止着されている際には、前記下側地第一長辺に沿って交互に止着されており、前記下側地第二長辺の近傍に止着されている際には、前記下側地第二長辺に沿って交互に止着されていることを特徴とする請求項９に記載の前記下側地のうちの１つ。
【手続補正２】
【補正対象書類名】明細書
【補正対象項目名】０００５
【補正方法】変更
【補正の内容】
【０００５】 特許文献１に示されているふとんカバーをふとんに取り付るためには、袋状に形成されたふとんカバーにふとんを押し込まなければならず、また、特許文献１に示されているふとんカバーをふとんから取り外すためには、袋状に形成されたふとんカバーからふとんを取り出さなければならない。このため、特許文献１に示されているふとんカバーをふとんに取り付けたり、ふとんに取り外すことは面倒である。
【手続補正３】
【補正対象書類名】明細書
【補正対象項目名】００１２
【補正方法】変更
【補正の内容】
【００１２】     ファスナーテープは、フック状に起毛されたフックファスナーテープとループ状に起毛されたループファスナーテープがあり、フックファスナーテープとループファスナーテープを接触させたり、押し付けたりすると貼り付くようになっており、貼り付けたり剥がしたりすることができる。    ただし、ファスナーテープには、フック毛とループ毛の両方が起毛されているフックループファスナーテープがある。    また、ファスナーテープには、マッシュルーム状に起毛されていて結合力が強いクリックタイプファスナーテープ、鋸歯状のシャークバイトタイプテープから構成されているシャークバイトタイプファスナーテープもある。  ファスナーテープは、面テープ、ワンタッチテープ、マジックテープ(登録商標)と呼ばれることもある。    本発明の寝具カバーは、上側地を寝具の上に配置して、下側地を寝具の下に配置して、上側地と下側地を係合すれば、寝具を内包する寝具カバーを形成することができる。    上側地と下側地は、上側地に止着された上側地側ファスナーテープと下側地に止着された下側地側ファスナーテープを係着すれば係合することができる。 上側地に止着された上側地側ファスナーテープと下側地に止着された下側地側ファスナーテープは接触させれば係着することができる。
【手続補正４】
【補正対象書類名】明細書
【補正対象項目名】００１４
【補正方法】変更
【補正の内容】
【００１４】    本発明の寝具カバーは、上側地を寝具の上に配置して、下側地を寝具の下に配置して、上側地と下側地は、上側地に止着された上側地側ファスナーテープと下側地に止着された下側地側ファスナーテープを係着して係合すれば、寝具を内包する寝具カバーを形成することができる。 上側地に止着された上側地側ファスナーテープと下側地に止着された下側地ファスナーテープは接触させると係着することができる。    本発明の寝具カバーは、上側地と下側地を離脱することができるので、寝具カバーの上側地を下側地と離脱して、上側地のみを洗濯することができる。  本発明の寝具カバーは、下側地を寝具の下に配置した後は、寝具を持ち上げなくても上側地に止着された上側地側ファスナーテープと下側地に止着された下側地側ファスナーテープを係着することによって、上側地と下側地を係合すれば寝具を内包する寝具カバーを形成することができる。
【手続補正５】
【補正対象書類名】明細書
【補正対象項目名】００１７
【補正方法】変更
【補正の内容】
【００１７】    上側地１と下側地３は、絹、麻、綿、ナイロン、または、ポリエステル製の布地から形成されている。
【手続補正６】
【補正対象書類名】明細書
【補正対象項目名】００１９
【補正方法】変更
【補正の内容】
【００１９】    図１、図２(ａ)(ｂ)、図３(ａ)(ｂ)(ｃ)に示すように、上側地１を寝具２の上に配置して、下側地３を寝具２の下に配置すると、上側地１の上側地下面１ｂが寝具２の寝具上面２ａ、および、下側地３の下側地上面３ａと接触し、下側地３の下側地上面３ａが寝具２の寝具下面２ｂ、および、上側地１の上側地下面１ｂに接触する。
【手続補正７】
【補正対象書類名】明細書
【補正対象項目名】００２４
【補正方法】変更
【補正の内容】
【００２４】 上側地側ファスナーテープ４は、上側地１に糸やピアノ線で縫いつけて止着してある。    ただし、上側地側ファスナーテープ４は、上側地１に接着材やのりで貼り付けて止着してもよい。    下側地側ファスナーテープ５は、下側地３に糸やピアノ線で縫いつけて止着してある。    ただし、下側側ファスナーテープ５は、下側地３に接着材やのりで貼り付けて止着してもよい。
【手続補正８】
【補正対象書類名】明細書
【補正対象項目名】００３３
【補正方法】変更
【補正の内容】
【００３３】
【図１】寝具カバーと寝具の斜視図である。
【図２】（ａ）は、寝具カバーと寝具を短辺方向から見た側面図である。(ｂ)は、寝具カバーと寝具を長辺方向から見た側面図である。
【図３】(ａ)は、寝具カバーを寝具に装着した状態の斜視図である。(ｂ)は、寝具カバーを寝具に装着した状態を短辺方向から見た側面図である。(ｃ)は、寝具カバーを寝具に装着した状態を長辺方向から見た側面図である。
【図４】(ａ)は、上側地を短辺方向から見た側面図である。(ｂ)は、上側地を長辺方向から見た側面図である。
【図５】(ａ)は、上側地を上側地上面から見た平面図である。(ｂ)は、上側地を上側地下面から見た平面図である。
【図６】(ａ)は、寝具を短辺方向から見た側面図である。(ｂ)は、寝具を長辺方向から見た側面図である。
【図７】(ａ)は、寝具を寝具上面から見た平面図である。(ｂ)は、寝具を寝具下面から見た平面図である。
【図８】(ａ)は、下側地を短辺方向から見た側面図である。(ｂ)は、下側地を長辺方向から見た側面図である。
【図９】(ａ)は、下側地を下側地上面から見た平面図である。(ｂ)は、下側地を下側地下面から見た平面図である。
【図１０】(ａ)は、上側地の上側地下面にフックファスナーテープが止着されている際の上側地を上側地上面から見た平面図である。(ｂ)は、上側地の上側地下面にフックファスナーテープが止着されている際の上側地を上側地下面から見た平面図である。
【図１１】(ａ)は、下側地の下側地上面にループファスナーテープが止着されている際の下側地を下側地上面から見た平面図である。(ｂ)は、下側地の下側地上面にループファスナーテープが止着されている際の下側地を下側地下面から見た平面図である。
【図１２】(ａ)は、上側地の上側地下面にフックファスナーテープとループファスナーテープが止着されている際の上側地を上側地上面から見た平面図である。(ｂ)は、上側地の上側地下面にフックファスナーテープとループファスナーテープが止着されている際の上側地を上側地下面から見た平面図である。
【図１３】(ａ)は、下側地の下側地上面にフックファスナーテープとループファスナーテープが止着されている際の下側地を下側地上面から見た平面図である。(ｂ)は、下側地の下側地上面にフックファスナーテープとループファスナーテープが止着されている際の下側地を下側地下面から見た平面図である。
【図１４】(ａ)は、上側地の上側地下面にフックループファスナーテープが止着されている際の上側地を上側地上面から見た平面図である。(ｂ)は、上側地の上側地下面にフックループファスナーテープが止着されている際の上側地を上側地下面から見た平面図である。
【図１５】(ａ)は、下側地の下側地上面にフックループファスナーテープが止着されている際の下側地を下側地上面から見た平面図である。(ｂ)は、下側地の下側地上面にフックループファスナーテープが止着されている際の下側地を下側地下面から見た平面図である。
【図１６】(ａ)は、フックファスナーテープの拡大斜視図である。(ｂ)は、ループファスナーテープの拡大斜視図である。(ｃ)は、フックループファスナーテープの拡大斜視図である。
【手続補正９】
【補正対象書類名】図面
【補正対象項目名】図９
【補正方法】変更
【補正の内容】
【図９】
2012090768.tif 000019
【手続補正１０】
【補正対象書類名】図面
【補正対象項目名】図１１
【補正方法】変更
【補正の内容】
【図１１】
2012090768.tif 000020
【手続補正１１】
【補正対象書類名】図面
【補正対象項目名】図１３
【補正方法】変更
【補正の内容】
【図１３】
2012090768.tif 000021
【手続補正１２】
【補正対象書類名】図面
【補正対象項目名】図１５
【補正方法】変更
【補正の内容】
【図１５】
2012090768.tif 000022